(57)【特許請求の範囲】
【請求項１】
胴部と２つの袖部とを備えているスポーツ用の衣料であって、
前記２つの袖部のそれぞれが、袖口を内側に折り曲げている内折縫代部と、袖口を外側に折り曲げている外折部と、を有していることを特徴とするスポーツ用衣料。
【請求項２】
前記袖口は袖口上端及び袖口下端を境界として前身頃側の袖口前部と後見頃側の袖口後部とを有しており、前記外折部は前記袖口上端から連続して前記袖口前部及び前記袖口後部に形成されており、前記袖口上端から前記袖口前部を経由して前記袖口下端に至るまでの領域の４０％以上及び前記袖口上端から前記袖口後部を経由して前記袖口下端に至るまでの領域の４０％以上に前記外折部が配置されている請求項１に記載のスポーツ用衣料。
【請求項３】
前記袖口は袖口上端及び袖口下端を境界として前身頃側の袖口前部と後見頃側の袖口後部とを有しており、前記袖口上端から前記袖口前部を経由して前記袖口下端に至るまでの領域の８０％以上に前記外折部が配置されている請求項１に記載のスポーツ用衣料。
【請求項４】
前記袖口は袖口上端及び袖口下端を境界として前身頃側の袖口前部と後見頃側の袖口後部とを有しており、前記袖口上端から前記袖口後部を経由して前記袖口下端に至るまでの領域の８０％以上に前記外折部が配置されている請求項１に記載のスポーツ用衣料。
【請求項５】
腰部と２つの裾部とを備えているスポーツ用の衣料であって、
前記２つの裾部のそれぞれが、裾口を内側に折り曲げている内折縫代部と、裾口を外側に折り曲げている外折部と、を有していることを特徴とするスポーツ用衣料。
【請求項６】
前記裾部の裾丈が膝と同じか又は膝より短い請求項５に記載のスポーツ用衣料。
【請求項７】
前記裾口は裾口外端及び裾口内端を境界として前身頃側の裾口前部と後身頃側の裾口後部とを有しており、前記裾口外端から前記裾口前部を経由して前記裾口内端に至るまでの領域の８０％以上に前記外折部が配置されている請求項５又は６に記載のスポーツ用衣料。
【請求項８】
前記外折部は前記裾口前部から前記裾口内端を超えて連続して前記裾口後部の一部に配置されている請求項７に記載のスポーツ用衣料。
【請求項９】
前記内折縫代部は縫合により固定されており、前記外折部は接着により固定されている請求項１〜８のいずれかに記載のスポーツ用衣料。
【発明の詳細な説明】
【技術分野】
【０００１】
本発明は、スポーツをする際に着用するスポーツ用衣料に関する。
【背景技術】
【０００２】
スポーツをする際に着用する衣料には、着用者の運動能力を最大限引き出すために様々な工夫がなされている。例えば、特許文献１にはパーツのストレッチ作用により筋力アップを図ることのできる競技用アンダーシャツが、また特許文献２には脇の下にマチを配することにより腕の動きに対して追従する上衣が開示されている。
【先行技術文献】
【特許文献】
【０００３】
【特許文献１】特開２００１−４９５０８号公報
【特許文献２】国際公開第２０１２／０９０２６５号
【発明の概要】
【発明が解決しようとする課題】
【０００４】
特許文献１及び２に開示されている競技用上衣のように、競技者の動きを補佐したり動きやすさに着目したりした衣料は開発されてきたが、衣料の肌面への影響については未だ改善の余地があった。特に、バレーボール、テニス、バトミントン等の腕を振り上げたり振り出したりするスポーツや、ランニング等の腕を後ろに引く動作の多いスポーツ、また、サッカー、マラソン、競歩等の脚の前後及び左右の動作が繰り返されるスポーツでは、体の特定の箇所の肌面が衣料と擦れ合うことが多く、そのストレスにより競技能力が十分に発揮されないことがある。
【０００５】
本発明は、前記事情に鑑みてなされたものであり、スポーツを行う際に衣料の袖口や裾口と腕や脚の肌面が擦れても違和感を感じにくく、着用者のストレスを低減できる衣料を提供することを目的とする。
【課題を解決するための手段】
【０００６】
上記目的を達成し得た本発明のスポーツ用衣料は、胴部と袖部とを備えているスポーツ用の衣料であって、上記袖部が、袖口を内側に折り曲げている内折縫代部と、袖口を外側に折り曲げている外折縫代部と、を有していることを特徴とする。袖部が、袖口を内側に折り曲げている内折縫代部と袖口を外側に折り曲げている外折縫代部とを有していることで、袖口に腕の肌面が接触した際に違和感を感じにくく着用者のストレスを低減できる衣料とすることができる。
【０００７】
上記袖口は袖口上端及び袖口下端を境界として前身頃側の袖口前部と後見頃側の袖口後部とを有しており、上記外折縫代部は上記袖口上端から連続して上記袖口前部及び上記袖口後部に形成されており、上記袖口上端から上記袖口前部を経由して上記袖口下端に至るまでの領域の４０％以上及び上記袖口上端から上記袖口後部を経由して上記袖口下端に至るまでの領域の４０％以上に上記外折縫代部が配置されていることが好ましい。
【０００８】
上記袖口は袖口上端及び袖口下端を境界として前身頃側の袖口前部と後見頃側の袖口後部とを有しており、上記袖口上端から上記袖口前部を経由して上記袖口下端に至るまでの領域の８０％以上に上記外折縫代部が配置されていることが好ましい。
【０００９】
上記袖口は袖口上端及び袖口下端を境界として前身頃側の袖口前部と後見頃側の袖口後部とを有しており、上記袖口上端から上記袖口後部を経由して上記袖口下端に至るまでの領域の８０％以上に上記外折縫代部が配置されていることが好ましい。
【００１０】
上記目的を達成し得た本発明はまた、腰部と裾部とを備えているスポーツ用の衣料であって、上記裾部が、裾口を内側に折り曲げている内折縫代部と、裾口を外側に折り曲げている外折縫代部と、を有していることを特徴とする。裾部が、裾口を内側に折り曲げている内折縫代部と裾口を外側に折り曲げている外折縫代部とを有していることで、裾口に脚の肌面が接触した際に違和感を感じにくく着用者のストレスを低減できる衣料とすることができる。
【００１１】
上記裾部の裾丈が膝と同じか又は膝より短いことが好ましい。
【００１２】
上記裾口は裾口外端及び裾口内端を境界として前身頃側の裾口前部と後身頃側の裾口後部とを有しており、上記裾口外端から上記裾口前部を経由して上記裾口内端に至るまでの領域の８０％以上に上記外折縫代部が配置されていることが好ましい。
【００１３】
上記外折縫代部は上記裾口前部から上記裾口内端を超えて連続して上記裾口後部の一部に配置されていることが好ましい。
【００１４】
上記内折縫代部は縫合により固定されており、上記外折縫代部は接着により固定されていることが好ましい。
【発明の効果】
【００１５】
本発明のスポーツ用衣料は、袖口及び裾口が、袖口及び裾口を内側に折り曲げている内折縫代部と袖口及び裾口を外側に折り曲げている外折縫代部とを有していることで、袖口及び裾口の外折縫代部が配置されている部分と腕及び脚の肌面が接触した際に違和感を感じにくく着用者のストレスを低減できる衣料とすることができ、競技者の運動能力を発揮させることが容易となる。外折縫代部を配置する場所を適宜設定することで、腕や脚の異なる動きを伴う様々なスポーツに適用することが可能である。
【図面の簡単な説明】
【００１６】
【図１】本発明の一実施形態に係るスポーツ用衣料の正面図を表す。
【図２】図１に示したスポーツ用衣料の背面図を表す。
【図３】図３（ａ）は図１に示したスポーツ用衣料の袖口の矢印Ａ方向に見た断面図を表し、図３（ｂ）は図３（ａ）に示した断面図の別の一例を表す。
【図４】本発明の一実施形態に係るスポーツ用衣料の正面図を表す。
【図５】図４に示したスポーツ用衣料の背面図を表す。
【図６】図６（ａ）は図４に示したスポーツ用衣料の袖口の矢印Ｂ方向に見た断面図を表し、図６（ｂ）は図６（ａ）に示した断面図の別の一例を表し、図６（ｃ）は図６（ａ）に示した断面図のさらに別の一例を表す。
【図７】本発明の一実施形態に係るスポーツ用衣料の正面図を表す。
【図８】図７に示したスポーツ用衣料の背面図を表す。
【図９】図９（ａ）は図７に示したスポーツ用衣料の袖口の矢印Ｃ方向に見た断面図を表し、図９（ｂ）は図９（ａ）に示した断面図の別の一例を表し、図９（ｃ）は図９（ａ）に示した断面図のさらに別の一例を表す。
【図１０】本発明の一実施形態に係るスポーツ用衣料の袖口の断面図を表す。
【図１１】本発明の一実施形態に係るスポーツ用衣料の正面図を表す。
【図１２】図１１に示したスポーツ用衣料の背面図を表す。
【図１３】図１１に示したスポーツ用衣料の矢印Ｄ方向に見た側面図を表す。
【図１４】図１１に示したスポーツ用衣料の裾口の矢印Ｅ方向に見た断面図を表す。
【図１５】本発明の一実施形態に係るスポーツ用衣料の正面図を表す。
【図１６】図１５に示したスポーツ用衣料の背面図を表す。
【図１７】図１５に示したスポーツ用衣料の矢印Ｆ方向に見た側面図を表す。
【図１８】図１５に示したスポーツ用衣料の裾口の矢印Ｇ方向に見た断面図を表す。
【図１９】本発明の一実施形態に係るスポーツ用衣料の一部分を表面側から見た拡大図を表す。
【図２０】図１９に示した部分を裏面側から見た拡大図を表す。
【発明を実施するための形態】
【００１７】
以下、実施の形態に基づき本発明を説明するが、本発明はもとより下記実施の形態によって制限を受けるものではなく、前・後記の趣旨に適合し得る範囲で適当に変更を加えて実施することも勿論可能であり、それらはいずれも本発明の技術的範囲に包含される。なお、各図面において、便宜上、ハッチングや部材符号等を省略する場合もあるが、その場合は明細書や他の図面を参照するものとする。また、図面における種々部材の寸法は、実際の寸法とは異なる場合がある。
【００１８】
まず、図１〜図１０を参照しつつ、本発明の実施の形態に係るスポーツ用衣料について説明する。図１〜図１０は、胴部１２０と袖部１３０とを備えているスポーツ用衣料、すなわちスポーツ用上衣１００を示す図である。図１、図４、及び図７はぞれぞれ異なる実施の形態に係るスポーツ用上衣１００の正面図、すなわちスポーツ用上衣１００の前身頃１０１の平面図を表し、図２、図５、及び図８はそれぞれ図１、図４、及び図７に示したスポーツ用上衣１００の背面図、すなわち、スポーツ用上衣１００の後身頃１０２の平面図を表している。図３、図６、及び図９はそれぞれ図１、図４、及び図７に示したスポーツ用上衣１００の袖口１４０の矢印Ａ、矢印Ｂ、及び矢印Ｃ側から見た断面図を表し、図１０は本発明の一実施形態に係るスポーツ用上衣１００の袖口１４０の断面図を表している。
【００１９】
図１〜図１０に示すように、本発明の一実施形態に係るスポーツ用衣料は胴部１２０と袖部１３０とを備えているスポーツ用上衣１００であって、袖部１３０が、袖口１４０を内側に折り曲げている内折縫代部４０ｉと、袖口１４０を外側に折り曲げている外折縫代部４０ｅとを有している。袖部１３０が袖口１４０を外側に折り曲げている外折縫代部４０ｅを有している部分では、着用者の肌面に接する袖口１４０の内側に縫代が折り曲げられないため、肌面と縫代とが接することない。その結果、肌面が縫代と擦れることによる違和感を感じにくく、着用者のストレスを低減できるスポーツ用上衣１００とすることができる。袖部１３０が袖口１４０を内側に折り曲げている内折縫代部４０ｉを有している部分は、布端をロックミシンやジグザグミシン等による端ミシン等一般的な方法で始末した後、内側に折り曲げて縫合する等通常の方法で作製することができ、この部分にストレッチ性や通気性等の機能性を付与することが可能である。このように、肌面と接しやすい袖口１４０の部位には外折縫代部４０ｅを配置し、それ以外の部分には内折縫代部４０ｉを配置することにより、肌面と縫代とが擦れることによる違和感を感じにくく、かつ、機能性を有するスポーツ用上衣１００とすることができる。
【００２０】
図１〜３に示すように、袖口１４０は袖口上端１４０ｕ及び袖口下端１４０ｂを境界として前身頃１０１側の袖口前部１４１と後身頃１０２側の袖口後部１４２とを有しており、外折縫代部４０ｅは袖口上端１４０ｕから連続して袖口前部１４１及び袖口後部１４２に形成されており、袖口上端１４０ｕから袖口前部１４１を経由して袖口下端１４０ｂに至るまでの領域Ｌ１の４０％以上及び袖口上端１４０ｕから袖口後部１４２を経由して袖口下端１４０ｂに至るまでの領域Ｌ２の４０％以上に外折縫代部４０ｅが配置されていることが好ましい。袖口上端１４０ｕを中心とした袖口１４０の上部に外折縫代部４０ｅを有していることで、バレーボールやバドミントン、バスケットボール等の腕を振り上げるスポーツをする際に、腕の上側面の肌面と袖口１４０とが繰り返し擦れ合っても肌面と縫代とが擦れ合うことがないため違和感を感じにくく、衣料による着用者のストレスを低減することができる。さらに、袖口１４０が内折縫代部４０ｉを有している部分にはストレッチ性や通気性等の機能性を付与することができるため、着用者の競技能力を発揮させることが容易となる。
【００２１】
袖口１４０に外折縫代部４０ｅと内折縫代部４０ｉを形成するには、外折縫代部４０ｅと内折縫代部４０ｉとの境目で縫代を外折と内折に切り替える必要があるが、これは外折縫代部４０ｅと内折縫代部４０ｉとの境目に切替部を設けることにより可能となる。図１及び図２には、上記切替部の例として切替部９１を示している。図１及び図２に示すように、前身頃１０１のパターンと後身頃１０２のパターンに加えて袖部１３０の下部と胴部１２０の脇部を形成するパターンを用いることで、袖口１４０に外折縫代部４０ｅと内折縫代部４０ｉを形成することが容易となる。切替部９１は袖部１３０の下部と胴部１２０の脇部が連続しているパターンの一例であり、袖部１３０の下部と胴部１２０の脇部の途中までが一つのパターンを形成していたり、袖部１３０の下部と胴部１２０全体が一つのパターンを形成したり、その他任意の形状を有していてもよい。また、左右の袖部１３０が異なる切替部を有していてもよい。
【００２２】
ここで、袖口上端１４０ｕ及び袖口下端１４０ｂとは、図１等に示すようにスポーツ用上衣１００を後身頃１０２を下にして平らに置いたときの袖部１３０の肩側と脇側の両端を意味している。上記のように袖口１４０に外折縫代部４０ｅと内折縫代部４０ｉを形成するには切替部を設ける場合があることや、さらにデザインによっては様々なパターンを用いる場合があるため、パターンの前身頃と後身頃とが均等ではなくパターンの袖口上端及び袖口下端が場合によって異なることもあるが、本明細書における袖口上端１４０ｕ及び袖口下端１４０ｂは上記定義に従うものとする。
【００２３】
図１〜図３を参照してさらに説明する。図３は図１に示したスポーツ用上衣１００を矢印Ａの方向から見た断面図であり、図３の上側が袖口上端１４０ｕ、すなわち肩側であり、図３の下側が袖口下端１４０ｂ、すなわち脇側である。外折縫代部４０ｅは袖口上端１４０ｕから連続して袖口前部１４１及び袖口後部１４２に形成されており、外折縫代部４０ｅの形成される範囲は、袖口上端１４０ｕから袖口前部１４１を経由して袖口下端１４０ｂに至るまでの領域Ｌ１の４０％以上及び袖口上端１４０ｕから袖口後部１４２を経由して袖口下端１４０ｂに至るまでの領域Ｌ２の４０％以上であればよく、図３（ａ）に示すように袖口上端１４０ｕから袖口前部１４１及び袖口後部１４２を経由して袖口下端１４０ｂに至るまでの領域Ｌ１及びＬ２の５０％以上であってもよく、図３（ｂ）に示すように袖口前部１４１と袖口後部１４２とで外折縫代部４０ｅの配置される領域の割合が異なっていてもよい。外折縫代部４０ｅの形成される範囲は、袖口上端１４０ｕから袖口前部１４１を経由して袖口下端１４０ｂに至るまでの領域Ｌ１及び袖口上端１４０ｕから袖口後部１４２を経由して袖口下端１４０ｂに至るまでの領域Ｌ２においてそれぞれ独立に４０％以上が好ましく、より好ましくは４５％以上であり、さらに好ましくは５０％以上であり、特に好ましくは５５％以上である。また、外折縫代部４０ｅの形成される範囲は、袖口上端１４０ｕから袖口前部１４１を経由して袖口下端１４０ｂに至るまでの領域Ｌ１及び袖口上端１４０ｕから袖口後部１４２を経由して袖口下端１４０ｂに至るまでの領域Ｌ２においてそれぞれ独立に７５％以下が好ましく、より好ましくは７０％以下であり、さらに好ましくは６５％以下である。外折縫代部４０ｅの形成される範囲が上記値であれば、袖口１４０と擦れ合うことによる違和感を感じにくく着用者のストレスを低減でき、かつ、機能性を有するスポーツ用上衣１００とすることができる。
【００２４】
図４〜６に示すように、袖口１４０は袖口上端１４０ｕ及び袖口下端１４０ｂを境界として前身頃１０１側の袖口前部１４１と後身頃１０２側の袖口後部１４２とを有しており、袖口上端１４０ｕから袖口前部１４１を経由して袖口下端１４０ｂに至るまでの領域Ｌ１の８０％以上に外折縫代部４０ｅが配置されていることが好ましい。袖口前部１４１の８０％以上に外折縫代部４０ｅを有していることで、テニスや卓球等の腕を前に振り出すスポーツをする際に、腕の前側の肌面と袖口１４０とが繰り返し擦れ合っても肌面と縫代とが擦れ合うことがないため違和感を感じにくく、衣料による着用者のストレスを低減することができる。さらに、袖口１４０が内折縫代部４０ｉを有している部分にはストレッチ性や通気性等の機能性を付与することができるため、着用者の競技能力を発揮させることが容易となる。
【００２５】
図４〜図６を参照してさらに説明する。図６は図４に示したスポーツ用上衣１００を矢印Ｂの方向から見た断面図であり、図６の上側が袖口上端１４０ｕ、すなわち肩側であり、図６の下側が袖口下端１４０ｂ、すなわち脇側である。外折縫代部４０ｅは袖口上端１４０ｕから袖口前部１４１を経由して袖口下端１４０ｂに至るまでの領域Ｌ１の８０％以上に配置されていればよく、図６（ａ）に示すように袖口上端１４０ｕから袖口前部１４１を経由して袖口下端１４０ｂに至るまでの領域Ｌ１の全てに配置され、さらに袖口上端１４０ｕ及び袖口下端１４０ｂを超えて袖口後部１４２まで連続して配置されていてもよいし、図６（ｂ）に示すように袖口上端１４０ｕから袖口前部１４１を経由して袖口下端１４０ｂに至るまでの領域Ｌ１の８０％以上に配置され、さらに袖口下端１４０ｂを超えて袖口後部１４２まで連続して配置されていてもよいし、図６（ｃ）に示すように袖口前部１４１だけに配置されていてもよい。外折縫代部４０ｅの形成される範囲は、袖口上端１４０ｕから袖口前部１４１を経由して袖口下端１４０ｂに至るまでの領域Ｌ１の８０％以上が好ましく、より好ましくは９０％以上であり、特に好ましくは１００％である。また、外折縫代部４０ｅが袖口上端１４０ｕから袖口後部１４２を経由して袖口下端１４０ｂに至るまでの領域Ｌ２にも配置される場合は、外折縫代部４０ｅの形成される範囲は、袖口上端１４０ｕから袖口後部１４２を経由して袖口下端１４０ｂに至るまでの領域Ｌ２の３０％以下が好ましく、より好ましくは２０％以下であり、さらに好ましくは１０％以下である。外折縫代部４０ｅの形成される範囲が上記値であれば、袖口１４０と擦れ合うことによる違和感を感じにくく着用者のストレスを低減でき、かつ、機能性を有するスポーツ用上衣１００とすることができる。
【００２６】
外折縫代部４０ｅが袖口上端１４０ｕから袖口前部１４１を経由して袖口下端１４０ｂに至るまでの領域Ｌ１の全てに配置されている図４〜図６（ａ）及び図６（ｃ）に示すような態様では、前身頃１０１に切替部を設ける必要がないため、例えば図４に示したようにデザイン性の観点から切替部９２を設けてラグラン袖とすること等が可能となる。また、図４〜図６（ａ）に示すような態様では、領域Ｌ１から袖口上端１４０ｕを超えて連続して領域Ｌ２まで外折縫代部４０ｅが形成されているため、図５に示すように袖部１３０の上部の外折縫代部４０ｅと内折縫代部４０ｉとの境目でパターンが切り替えられるように後身頃１０２に切替部９３を設けることが好ましい。但し、切替部９３の形状は図５に示したものに限定されない。
【００２７】
図７〜図９に示すように、袖口１４０は袖口上端１４０ｕ及び袖口下端１４０ｂを境界として前身頃１０１側の袖口前部１４１と後身頃１０２側の袖口後部１４２とを有しており、袖口上端１４０ｕから袖口後部１４２を経由して袖口下端１４０ｂに至るまでの領域Ｌ２の８０％以上に外折縫代部４０ｅが配置されていることが好ましい。袖口後部１４２の８０％以上に外折縫代部４０ｅを有していることで、ランニング等の腕を後に引く動作を繰り返すスポーツをする際に、腕の後側と袖口１４０とが繰り返し擦れ合っても肌面と縫代とが擦れ合うことがないため違和感を感じにくく、衣料による着用者のストレスを低減することができる。さらに、袖口１４０が内折縫代部４０ｉを有している部分にはストレッチ性や通気性等の機能性を付与することができるため、着用者の競技能力を発揮させることが容易となる。
【００２８】
図７〜図９を参照してさらに説明する。図９は図７に示したスポーツ用上衣１００を矢印Ｃの方向から見た断面図であり、図９の上側が袖口上端１４０ｕ、すなわち肩側であり、図９の下側が袖口下端１４０ｂ、すなわち脇側である。外折縫代部４０ｅは袖口上端１４０ｕから袖口後部１４２を経由して袖口下端１４０ｂに至るまでの領域Ｌ２の８０％以上に配置されていればよく、図９（ａ）に示すように袖口上端１４０ｕから袖口後部１４２を経由して袖口下端１４０ｂに至るまでの領域Ｌ２の全てに配置され、さらに袖口上端１４０ｕ及び袖口下端１４０ｂを超えて袖口前部１４１まで連続して配置されていてもよいし、図９（ｂ）に示すように袖口上端１４０ｕから袖口後部１４２を経由して袖口下端１４０ｂに至るまでの領域Ｌ２の全てに配置され、さらに袖口上端１４０ｕを超えて袖口前部１４１まで連続して配置されていてもよいし、図９（ｃ）に示すように袖口後部１４２だけに配置されていてもよい。外折縫代部４０ｅの形成される範囲は、袖口上端１４０ｕから袖口後部１４２を経由して袖口下端１４０ｂに至るまでの領域Ｌ２の８０％以上が好ましく、より好ましくは９０％以上であり、特に好ましくは１００％である。また、外折縫代部４０ｅが袖口上端１４０ｕから袖口前部１４１を経由して袖口下端１４０ｂに至るまでの領域Ｌ１にも配置される場合は、外折縫代部４０ｅの形成される範囲は、袖口上端１４０ｕから袖口前部１４１を経由して袖口下端１４０ｂに至るまでの領域Ｌ１の３０％以下が好ましく、より好ましくは２０％以下であり、さらに好ましくは１０％以下である。外折縫代部４０ｅの形成される範囲が上記値であれば、袖口１４０と擦れ合うことによる違和感を感じにくく着用者のストレスを低減でき、かつ、機能性を有するスポーツ用上衣１００とすることができる。
【００２９】
図７〜図９（ａ）、及び図９（ｂ）に示すような態様では、領域Ｌ２から袖口上端１４０ｕを超えて連続して領域Ｌ１まで外折縫代部４０ｅが形成されているため、図７に示すように袖部１３０の上部の外折縫代部４０ｅと内折縫代部４０ｉとの境目でパターンが切り替えられるように前身頃１０１に切替部９３を設けることが好ましい。但し、切替部９３の形状は図７に示したものに限定されない。また、図７〜図９（ａ）に示すような態様では、領域Ｌ２から袖口下端１４０ｂを超えて連続して領域Ｌ１で外折縫代部４０ｅが形成されているため、図７に示すように袖部３０の下部の外折縫代部４０ｅと内折縫代部４０ｉとの境目でパターンが切り替えられるように前身頃１０１に切替部９４を設けることが好ましい。このとき、図７に示した切替部９４のように切替部を袖部１３０に設けてラグラン袖のデザインとすることもできるし、図１に示した切替部９１のように切替部を胴部１２０に繋がるように設けてもよいし、その他どのようなデザインで設けてもよい。
【００３０】
さらに本発明の一実施形態においては、図１０に示すように、外折縫代部４０ｅが袖部１４０の下部に設けられ、内折縫代部４０ｉが袖部１４０の上部に設けられていてもよい。このとき、外折縫代部４０ｅは、袖口下端１４０ｂから連続して領域Ｌ１及び領域Ｌ２に設けられていることが好ましい。外折縫代部４０ｅの形成される範囲は、袖口下端１４０ｂから袖口前部１４１を経由して袖口上端１４０ｕに至るまでの領域Ｌ１の５０％以下が好ましく、より好ましくは４０％以下であり、特に好ましくは３０％である。また、外折縫代部４０ｅの形成される範囲は、袖口下端１４０ｂから袖口後部１４２を経由して袖口上端１４０ｕに至るまでの領域Ｌ２の６０％以下が好ましく、より好ましくは５０％以下であり、さらに好ましくは４０％以下である。さらに、外折縫代部４０ｅの形成される範囲は、領域Ｌ１及びＬ２においてそれぞれ独立に２０％以上が好ましく、２５％以上がより好ましい。外折縫代部４０ｅの形成される範囲が上記値であれば、袖口１４０と擦れ合うことによる違和感を感じにくく着用者のストレスを低減でき、かつ、機能性を有するスポーツ用上衣１００とすることができる。
【００３１】
次に、図１１〜図１８を参照しつつ、本発明の実施の形態に係るスポーツ用衣料について説明する。図１１〜図１８は、腰部２２０と裾部２３０とを備えているスポーツ用衣料、すなわちスポーツ用下衣２００を示す図である。図１１及び図１５はぞれぞれ異なる実施の形態に係るスポーツ用下衣２００の正面図、すなわちスポーツ用下衣２００の前身頃２０１の平面図を表し、図１２及び図１６はそれぞれ図１１及び図１５に示したスポーツ用下衣２００の背面図、すなわち、スポーツ用下衣２００の後身頃２０２の平面図を表し、図１３及び図１７は図１１及び図１５に示したスポーツ用下衣２００のそれぞれ矢印Ｄ及び矢印Ｆ方向から見た側面図を表し、図１４及び図１８はそれぞれ図１１及び図１５に示したスポーツ用下衣２００の裾口２４０の矢印Ｅ及び矢印Ｇ側から見た断面図を表している。
【００３２】
図１１〜図１８に示すように、本発明の一実施形態に係るスポーツ用衣料は腰部２２０と裾部２３０とを備えているスポーツ用下衣２００であって、裾部２３０が、裾口２４０を内側に折り曲げている内折縫代部４０ｉと、裾口２４０を外側に折り曲げている外折縫代部４０ｅとを有している。裾部２３０が裾口２４０を外側に折り曲げている外折縫代部４０ｅを有している部分では、着用者の肌面に接する裾口２４０の内側に縫代が折り曲げられないため、肌面と縫代とが接することない。その結果、肌面が縫代と擦れることによる違和感を感じにくく、着用者のストレスを低減できるスポーツ用下衣２００とすることができる。裾部２３０が裾口２４０を内側に折り曲げている内折縫代部４０ｉを有している部分は、布端をロックミシンやジグザグミシン等による端ミシン等一般的な方法で始末した後、内側に折り曲げて縫合する等通常の方法で作製することができ、この部分にストレッチ性や通気性等の機能性を付与することが可能である。このように、肌面と接しやすい裾口２４０の部位には外折縫代部４０ｅを配置し、それ以外の部分には内折縫代部４０ｉを配置することにより、肌面と縫代とが擦れることによる違和感を感じにくく、かつ、機能性を有するスポーツ用下衣２００とすることができる。
【００３３】
裾部２３０の裾丈は、膝と同じか又は膝より短いことが好ましい。このような裾丈を有するスポーツ用下衣２００は、脚の活発な動きを伴う様々なスポーツを行う際に着用することができる。
【００３４】
図１１〜１４に示すように、裾口２４０は裾口外端２４０ｅ及び裾口内端２４０ｉを境界として前身頃２０１側の裾口前部２４１と後身頃２０２側の裾口後部２４２とを有しており、裾口外端２４０ｅから裾口前部２４１を経由して裾口内端２４０ｉに至るまでの領域Ｌ３の８０％以上に外折縫代部４０ｅが配置されていることが好ましい。裾口前部２４１の８０％以上に外折縫代部４０ｅを有していることで、バレーボール、バスケットボール、サッカー、マラソン等の脚を前に振り出したり振り上げたりするスポーツやテニス、卓球等の脚の俊敏な動きが求められるラケット競技スポーツをする際に、脚の前側と裾口２４０とが繰り返し擦れ合っても肌面と縫代とが擦れ合うことがないため違和感を感じにくく、衣料による着用者のストレスを低減することができる。さらに、裾口２４０が内折縫代部４０ｉを有している部分にはストレッチ性や通気性等の機能性を付与することができるため、着用者の競技能力を発揮させることが容易となる。
【００３５】
図１１〜図１４を参照してさらに説明する。図１３は図１１に示したスポーツ用下衣２００を矢印Ｄの方向から見た側面図、すなわち左脚部を外股側から見た側面図である。図１４は図１１に示したスポーツ用下衣２００を矢印Ｅの方向から見た断面図であり、図１４の上側が裾口外端２４０ｅ、すなわち外股側であり、図１４の下側が裾口内端２４０ｉ、すなわち内股側である。外折縫代部４０ｅは裾口外端２４０ｅから裾口前部２４１を経由して裾口内端２４０ｉに至るまでの領域Ｌ３の８０％以上に配置されていればよく、図１１〜図１４（ａ）に示すように裾口外端２４０ｅから裾口前部２４１を経由して裾口内端２４０ｉに至るまでの領域Ｌ３の全て、すなわち１００％に配置されており、さらに裾口内端２４０ｉ及び裾口外端２４０ｅを超えて連続して、裾口外端２４０ｅから裾口後部２４２を経由して裾口内端２４０ｉに至るまでの領域Ｌ４に配置されていてもよい。外折縫代部４０ｅの形成される範囲は、裾口外端２４０ｅから裾口前部２４１を経由して裾口内端２４０ｉに至るまでの領域Ｌ３の８０％以上が好ましく、より好ましくは９０％以上であり、特に好ましくは１００％である。外折縫代部４０ｅが裾口外端２４０ｅから裾口後部２４２を経由して裾口内端２４０ｉに至るまでの領域Ｌ４にも配置されている場合の外折縫代部４０ｅの形成される範囲は、裾口外端２４０ｅから裾口後部２４２を経由して裾口内端２４０ｉに至るまでの領域Ｌ４の３０％以下が好ましく、より好ましくは２０％以下であり、さらに好ましくは１０％以下である。外折縫代部４０ｅの形成される範囲が上記値であれば、裾口２４０と擦れ合うことによる違和感を感じにくく着用者のストレスを低減でき、かつ、機能性を有するスポーツ用上衣１００とすることができる。
【００３６】
裾口２４０に外折縫代部４０ｅと内折縫代部４０ｉを形成するには、外折縫代部４０ｅと内折縫代部４０ｉとの境目で縫代を外折と内折に切り替える必要があるが、これは外折縫代部４０ｅと内折縫代部４０ｉとの境目に切替部を設けることにより可能となる。図１２には、上記切替部の例として切替部９５及び９６を示している。切替部９５及び９６は一例であり、その他任意の形状を有していてもよい。図１２及び図１３に示すように、前身頃２０１のパターンと後身頃２０２のパターンに加えて裾部２３０の内股部及び外股部を形成するパターンを用いることで、裾口２４０に外折縫代部４０ｅと内折縫代部４０ｉを形成することが容易となる。
【００３７】
ここで、裾口外端２４０ｅ及び裾口内端２４０ｉとは、図１１等に示すようにスポーツ用下衣２００を後身頃２０２を下にして平らに置いたときの裾部２３０の外股側と内股側の両端を意味している。上記のように裾口２４０に外折縫代部４０ｅと内折縫代部４０ｉを形成するには切替部を設ける場合があることや、さらにデザインによっては様々なパターンを用いる場合があるため、パターンの前身頃と後身頃とが均等ではなく、パターンの裾口外端と裾口内端が場合によって異なることもあるが、本明細書における裾口外端２４０ｅ及び裾口内端２４０ｉは上記定義に従うものとする。
【００３８】
さらに本発明の他の実施の形態に係るスポーツ用下衣２００を、図１５〜図１８を参照してさらに説明する。図１７は図１５に示したスポーツ用下衣２００を矢印Ｆの方向から見た側面図、すなわち左脚部の内股側から見た側面図である。図１８は図１５に示したスポーツ用下衣２００を矢印Ｇの方向から見た断面図であり、図１８の上側が裾口外端２４０ｅ、すなわち外股側であり、図１４の下側が裾口内端２４０ｉ、すなわち内股側である。図１５〜図１８に示すように、外折縫代部４０ｅは裾口前部２４１から裾口内端２４０ｉを超えて連続して裾口後部２４２の一部に配置されており、内折縫代部４０ｉは裾口後部２４２から裾口外端２４０ｅを超えて連続して裾口前部２４１の一部に配置されていることが好ましい。このように、外折縫代部４０ｅが内股側に配置されていることで、バレーボールやバスケットボール、サッカー等の球技や競歩等、及びテニス、卓球等ラケット競技スポーツのように脚をクロスさせたり内股側に動作させるスポーツを行う際に、脚の内側と裾口２４０とが繰り返し擦れ合っても肌面と縫代とが擦れ合うことがないため違和感を感じにくく、衣料による着用者のストレスを低減することができる。
【００３９】
この場合も、上記と同様に、切替部９８や切替部９９等を設けることで、裾口２４０に外折縫代部４０ｅと内折縫代部４０ｉを形成することが容易となる。
【００４０】
内折縫代部４０ｉは縫合により固定されており、外折縫代部４０ｅは接着テープ５０等による接着により固定されていることが好ましい。図１９及び図２０を参照しつつ説明する。図１９は袖口１４０又は裾口２４０における内折縫代部４０ｉと外折縫代部４０ｅとの境界部分を表面側から見た拡大図を表し、図２０は図１９に示した部分を裏面側から見た拡大図を表す。ここで、表面側とは衣料を着用した際の着用者とは反対側を意味し、裏面側とは衣料を着用した際の着用者の肌に向く側を意味する。内折縫代部４０ｉが縫合により固定されていれば、ストレッチ性や通気性を有する素材の機能性を損なうことなく固定することができる。また、外折縫代部４０ｅが接着テープ５０等による接着により固定されていれば、図２０に示すように、外折縫代部４０ｅが形成されている部分の裏面側にはに縫い目６０が存在しないため、縫い目６０が肌面を刺激することを防止できる。
【００４１】
接着の方法としては、転写、ポリマーク等によるホットメルトによる接着、プリントによる接着、及び接着テープ５０による接着等の接着方法を採用することができるが、接着部分が硬くならないこと、布端の処理が必要なく布端処理部８０を設けなくてよいこと等の観点から接着テープ５０による接着が好ましい。接着テープ５０を構成する基布の材料としては、ポリエステル、ポリエチレン、ポリウレタン、アクリル等の合成繊維や、上記合成繊維と綿等の天然繊維との混合繊維に加えて、フィルムやホットメルトよりも融点の高い樹脂等が挙げられる。接着テープ５０の接着剤としては、ポリウレタン系接着剤、ポリアミド系接着剤、ポリエステル系接着剤、オレフィン系接着剤等が挙げられ、中でもポリウレタン系接着剤が伸びやすいため好ましい。
【００４２】
図１９及び図２０に示すように、内折縫代部４０ｉと外折縫代部４０ｅとの境界には、内折縫代部４０ｉを形成する部材と外折縫代部４０ｅを形成する部材とが縫合された縫合部７０が形成されていることが好ましい。これにより、内折縫代部４０ｉと外折縫代部４０ｅを容易に形成することができる。縫合部７０には布端処理部８０が形成されていてもよい。このとき、縫合部７０の縫代は内折縫代部４０ｉが形成されている側に倒されていることが好ましい。縫合部７０の縫代が内折縫代部４０ｉが形成されている側に倒されていれば、図２０に示すように、外折縫代部４０ｅが形成されている部分の裏面側には縫合部７０や布端処理部８０が存在しないため、肌面が刺激されにくく着用者のストレスを低減することができる。
【００４３】
本発明の実施の形態に係るスポーツ用衣料（スポーツ用上衣１００及びスポーツ用下衣２００）を構成する材料は、衣料に一般に使用されるものであれば特に限定されず、例えば、布地（織布、編布、不織布等）、樹脂フィルム、これらを組み合わせた材料等を用いることができる。例えば、織布を用いる場合、織布の織組織は特に限定されず、公知の織組織を採用すればよい。織布の織組織としては、平織、綾織、朱子織等が挙げられる。編布を用いる場合、編布の編組織も特に限定されず、公知の編組織を採用すればよい。編布の編組織としては、平編、ゴム編、両面編、ハーフ編等が挙げられる。布地を構成する繊維としては、例えば、綿、絹等の天然繊維、ポリエステル、ポリエチレン、ナイロン等の合成繊維、及びこれらを混合した混合繊維が挙げられる。
【符号の説明】
【００４４】
４０ｉ：内折縫代部
４０ｅ：外折縫代部
５０：接着テープ
６０：縫い目
７０：縫合部
８０：布端処理部
９１〜９９：切替部
１００：スポーツ用衣料（上衣）
１０１：スポーツ用衣料（上衣）の前身頃
１０２：スポーツ用衣料（上衣）の後身頃
１２０：胴部
１３０：袖部
１４０：袖口
１４０ｕ：袖口上端
１４０ｂ：袖口下端
１４１：袖口前部
１４２：袖口後部
２００：スポーツ用衣料（下衣）
２０１：スポーツ用衣料（下衣）の前身頃
２０２：スポーツ用衣料（下衣）の後身頃
２２０：腰部
２３０：裾部
２４０：裾口
２４０ｅ：裾口外端
２４０ｉ：裾口内端
２４１：裾口前部
２４２：裾口後部
Ｌ１：袖口上端から袖口前部を経由して袖口下端に至るまでの領域
Ｌ２：袖口上端から袖口後部を経由して袖口下端に至るまでの領域
【要約】
【課題】スポーツを行う際に衣料の袖口や裾口と腕や脚の肌面が擦れても違和感を感じにくく、着用者のストレスを低減できる衣料を提供する。
【解決手段】胴部１２０と袖部１３０とを備えているスポーツ用の衣料であって、
袖部１３０が、袖口１４０を内側に折り曲げている内折縫代部４０ｉと、袖口１４０を外側に折り曲げている外折縫代部４０ｅと、を有していることを特徴とする。
【選択図】図１【図１】
0006811832.tif 000002
【図２】
0006811832.tif 000003
【図３】
0006811832.tif 000004
【図４】
0006811832.tif 000005
【図５】
0006811832.tif 000006
【図６】
0006811832.tif 000007
【図７】
0006811832.tif 000008
【図８】
0006811832.tif 000009
【図９】
0006811832.tif 000010
【図１０】
0006811832.tif 000011
【図１１】
0006811832.tif 000012
【図１２】
0006811832.tif 000013
【図１３】
0006811832.tif 000014
【図１４】
0006811832.tif 000015
【図１５】
0006811832.tif 000016
【図１６】
0006811832.tif 000017
【図１７】
0006811832.tif 000018
【図１８】
0006811832.tif 000019
【図１９】
0006811832.tif 000020
【図２０】
0006811832.tif 000021